(57)【要約】ハーモニック相互変調物品判別システムは、調査するダイポールアンテナを有し、そのアンテナは、基板により運ばれる又は組み込まれたＲＦダイオードから放射されたＲＦ相互変調高調波積に応答する。製品シグネチャは、シグネチャ判別内容をコンパレータに出力するスペクトラムアナライザに適用される。シグネチャ判別内容の受信に応答して、コンパレータは、照合用に以前に格納されたシグネチャ判別内容を調べる。照合内容の合致は、書類や製品タグのような特定の基板を定める、アナライザからの受信製品判別内容を示す。コンパレータによる一致は、信号をディスプレイに出力し、比較された製品判別内容を生成するＲＦダイオードを運ぶ基板の身元を示す。
2005530369.tif 000002
【特許請求の範囲】
【請求項１】
物品により運ばれ、３次高調波相互変調出力を生成するために少なくとも２つのＲＦ信号に応答する少なくとも１つのＲＦダイオードを有する
ことを特徴とするハーモニック物品判別タグ。
【請求項２】
前記少なくとも１つのＲＦダイオードが、前記少なくとも１つのＲＦダイオードを運ぶ前記物品のシグネチャ確認内容を有する
ことを特徴とする請求項１記載のハーモニック物品判別タグ。
【請求項３】
前記少なくとも１つのダイオードが、ＲＦ物品判別に関する高調波信号特性をもたらす
ことを特徴とする請求項１記載のハーモニック物品判別タグ。
【請求項４】
前記少なくとも１つのダイオードが、約２４．０ＧＨｚ乃至約２４．１ＧＨｚまでの範囲内の周波数のＲＦ信号に応答する
ことを特徴とする請求項１記載のハーモニック物品判別タグ。
【請求項５】
物品により運ばれ、３次高調波相互変調出力を生成するために少なくとも２つのＲＦ信号に応答する少なくとも１つの半導体素子；
高調波相互変調出力を受信し、分析信号を生成するアンテナ；及び
前記少なくとも１つの半導体素子を運ぶ前記物品を判別するために、前記アンテナに結合され、前記分析信号に応答する信号アナライザ；
を備えることを特徴とするハーモニック物品判別システム。
【請求項６】
前記少なくとも１つの半導体素子が、少なくとも１つのＲＦダイオードより成る
ことを特徴とする請求項５記載のハーモニック物品判別システム。
【請求項７】
前記少なくとも１つのダイオードが、約２４．０ＧＨｚ乃至約２４．１ＧＨｚまでの範囲内の周波数のＲＦ信号に応答する
ことを特徴とする請求項６記載のハーモニック物品判別システム。
【請求項８】
前記アンテナが、前記少なくとも２つのＲＦ信号の一方の１波長の長さを有するダイポールより成る
ことを特徴とする請求項５記載のハーモニック物品判別システム。
【請求項９】
前記少なくとも１つの半導体素子が、前記少なくとも１つの半導体素子を運ぶ前記物品のシグネチャ確認内容を有する
ことを特徴とする請求項５記載のハーモニック物品判別システム。
【請求項１０】
第１周波数でＲＦ信号を生成するように動作する第１信号生成器；
第２周波数でＲＦ信号を生成するように動作する第２信号生成器；
物品により運ばれ、高調波相互変調出力を生成するために、前記第１及び第２周波数に応答する少なくとも１つのＲＦダイオード；
前記高調波相互変調週力を受信し、分析信号を生成するアンテナ；及び
前記少なくとも１つのＲＦダイオードを運ぶ前記物品を判別するために、前記アンテナに結合され、前記分析信号に応答する信号アナライザ；
を備えることを特徴とするハーモニック物品判別システム。
【請求項１１】
前記信号アナライザが、前記第２周波数信号から前記第１周波数信号を減算することによる前記分析信号に応答する
ことを特徴とする請求項１０記載のハーモニック物品判別システム。
【請求項１２】
前記信号アナライザが、２Ｆ１−Ｆ２の数式に従う前記分析信号に応答し、
Ｆ１は前記第１周波数に等しく、及び
Ｆ２は前記第２周波数に等しい
ことを特徴とする請求項１０記載のハーモニック物品判別システム。
【請求項１３】
前記信号アナライザが、前記第１周波数信号から前記第２周波数信号を減算することによる前記分析信号に応答する
ことを特徴とする請求項１０記載のハーモニック物品判別システム。
【請求項１４】
前記信号アナライザが、２Ｆ２−Ｆ１の数式に従う前記分析信号に応答し、
Ｆ１は前記第１周波数に等しく、及び
Ｆ２は前記第２周波数に等しい
ことを特徴とする請求項１０記載のハーモニック物品判別システム。
【請求項１５】
前記少なくとも１つのＲＦダイオードが、前記少なくとも１つのＲＦダイオードを運ぶ前記物品のシグネチャ確認内容を有する
ことを特徴とする請求項１０記載のハーモニック物品判別システム。
【請求項１６】
前記少なくとも１つのＲＦダイオードが、約２４．０ＧＨｚ乃至約２４．１ＧＨｚまでの範囲内の周波数のＲＦ信号に応答する
ことを特徴とする請求項１０記載のハーモニック物品判別システム。
【請求項１７】
前記アンテナが、前記第１周波数又は前記第２周波数により決定される波長を有するダイポールより成る
ことを特徴とする請求項１０記載のハーモニック物品判別システム。
【請求項１８】
少なくとも２つのＲＦ信号を別々の周波数で生成するステップ；
物品により運ばれ、前記少なくとも２つのＲＦ信号に応答する少なくとも１つのＲＦダイオードによって、高調波相互変調信号を生成するステップ；
３次高調波相互変調出力を受信するアンテナから分析信号を生成するステップ；及び
前記アンテナからの前記分析信号を分析することで、物品判別シグネチャを生成するステップ；
を有することを特徴とするハーモニック物品判別方法。
【請求項１９】
以後の物品の判別のために前記物品判別シグネチャを格納するステップ
を更に有することを特徴とする請求項１８記載のハーモニック物品判別方法。
【請求項２０】
物品を判別するために格納済みの物品シグネチャを調べるステップ
を更に有することを特徴とする請求項１９記載のハーモニック物品判別方法。
【請求項２１】
格納済みの物品シグネチャの調査に応じて物品判別内容を生成するステップ
を更に有することを特徴とする請求項２０記載のハーモニック物品判別方法。
【請求項２２】
ＲＦ信号を２４．０ＧＨｚの周波数で出力する第１信号生成器；
ＲＦ信号を２４．１ＧＨｚの周波数で出力する第２信号生成器；
物品により運ばれ、３次高調波相互変調出力を生成するために前記２４．０ＧＨｚの周波数及び前記２４．１ＧＨｚの周波数に応答する少なくとも１つのＲＦダイオード；
３次高調波相互変調出力を受信し、分析信号を生成するダイポールアンテナ；及び
前記ダイポールアンテナに結合され、２Ｆ１−Ｆ２の数式に従って、前記少なくとも１つのＲＦダイオードを運ぶ前記物品を判別するために前記分析信号に応答する信号アナライザ；
を備え、Ｆ１は前記２４．０ＧＨｚの周波数であり、及び
Ｆ２は前記２４．１ＧＨｚの周波数である
ことを特徴とするハーモニック物品判別システム。
【請求項２３】
ＲＦ信号を２４．０ＧＨｚの周波数で出力する第１信号生成器；
ＲＦ信号を２４．１ＧＨｚの周波数で出力する第２信号生成器；
物品により運ばれ、３次高調波相互変調出力を生成するために前記２４．０ＧＨｚの周波数及び前記２４．１ＧＨｚの周波数に応答する少なくとも１つのＲＦダイオード；
３次高調波相互変調出力を受信し、分析信号を生成するダイポールアンテナ；及び
前記ダイポールアンテナに結合され、２Ｆ２−Ｆ１の数式に従って、前記少なくとも１つのＲＦダイオードを運ぶ前記物品を判別するために前記分析信号に応答する信号アナライザ；
を備え、Ｆ１は前記２４．０ＧＨｚの周波数であり、及び
Ｆ２は前記２４．１ＧＨｚの周波数である
ことを特徴とするハーモニック物品判別システム。
【請求項２４】
高調波相互変調出力を生成する少なくとも１つの半導体素子を運ぶ物品に関する判別システムであって：
物品により運ばれる少なくとも１つの半導体素子によって生成される高調波相互変調出力に応答し、判別信号を生成するスペクトラムアナライザ；
少なくとも１つの物品の判別用の判別シグネチャを格納するシグネチャメモリ；
前記スペクトラムアナライザの前記判別信号に応答し、前記シグネチャメモリから少なくとも１つの物品の判別用の前記判別シグネチャを受信するよう結合される比較器；
を備え、前記比較器は、格納済みの判別シグネチャにより、少なくとも１つの半導体素子を運ぶ物品を判別する出力を生成する
ことを特徴とする判別システム。
【請求項２５】
物品により運ばれる前記少なくとも１つの半導体素子によって生成される前記高調波相互変調出力を受信し、分析信号を生成するアンテナを更に備え、前記スペクトラムアナライザが、前記判別信号を生成するために前記分析信号に応答する
ことを特徴とする請求項２４記載の判別システム。
【請求項２６】
前記アンテナが、少なくとも２つのＲＦ信号の一方の１波長の長さを有するダイポールより成る
ことを特徴とする請求項２５記載の判別システム。
【請求項２７】
物品の判別内容を示すために前記比較器により生成された信号に応答するディスプレイ
を更に備えることを特徴とする請求項２４記載の判別システム。
【請求項２８】
ＲＦ信号を第１周波数で生成するよう動作する第１信号生成器；
ＲＦ信号を第２周波数で生成するよう動作する第２信号生成器；
を更に備え、前記物品により運ばれる前記少なくとも１つの半導体素子が、前記高調波相互変調出力を生成するために前記第１及び第２の周波数に応答する
ことを特徴とする請求項２４記載の判別システム。
【請求項２９】
前記少なくとも１つの半導体素子を運ぶ物品から前記高調波相互変調出力を受信し、分析信号を生成するアンテナ
を更に備え、前記スペクトラムアナライザが、判別信号を生成するために前記分析信号に応答する
ことを特徴とする請求項２８記載の判別システム。
【請求項３０】
前記アンテナが、前記第１の周波数又は前記第２の周波数で１波長の長さを有するダイポールより成る
ことを特徴とする請求項２９記載の判別システム。
【請求項３１】
少なくとも２つのＲＦ信号を別々の周波数で生成するステップ；
物品により運ばれる少なくとも１つの半導体素子に判別用に輻射するステップ；
物品により運ばれ、前記少なくとも２つのＲＦ信号による輻射を受ける応答する少なくとも１つの半導体素子によって、高調波相互変調信号を生成するステップ；
高調波相互変調出力を受信するアンテナから分析信号を生成するステップ；及び
前記分析信号を１以上の格納済みの判別シグネチャと比較するステップ；
を有し、該比較により、格納済みの判別シグネチャから、前記少なくとも１つの半導体素子を運ぶ前記物品を判別するための信号を生成する
ことを特徴とするハーモニック物品判別方法。
【請求項３２】
以後の分析信号との比較のために前記判別シグネチャを格納するステップ
を更に有することを特徴とする請求項３１記載のハーモニック物品判別方法。
【請求項３３】
前記分析信号を１以上の格納済みの判別シグネチャと比較するステップが：
生成された分析信号との比較用の格納済みのシグネチャを走査するステップ；及び
格納済みの物品シグネチャの１つ及び前記分析信号の間の比較に応じて物品判別信号を生成するステップ
を更に有することを特徴とする請求項３２記載のハーモニック物品判別方法。
【発明の詳細な説明】
【技術分野】
【０００１】
本発明は、ハーモニック製品判別に関し、特に、本発明は検出及び／又は識別用のハーモニック相互変調信号を出力する少なくとも１つの半導体素子を携帯する製品の判別に関連する。
【背景技術】
【０００２】
製品の判別、製品シグネチャによる特定の製品の判別又は規定された空間内を移動する製品の判別のためのシステムに、ここ１０年間に多大な研究開発が行なわれ、発達してきた。この労力により、製品識別信号を生成及び評価する様々な技術を用いる多数の製品判別システムがもたらされた。最も広く使用されているものの１つは、製品又は物品に備えられたバーコード要素に応答するバーコードリーダを使用する。バーコード要素が走査中の場（走査フィールド）の中を動くと、走査フィールドに対する応答が変化し、この変化が検出される。そのようなシステムは、規定された空間内を動く製品又は物品の判別のみを主に意図しているが、判別署名（ｓｉｇｎａｔｕｒｅ）を作成することに対する技術的な制約は何ら存在しない。これらのシステムは、サイズ及びコストの制約に起因する使用範囲内に制限される。
【０００３】
他の既存のシステムは、製品又は物品に携帯される又は取り付けられるトランスポンダタグを使用する。これら多くのトランスポンダタグは、高価であり、典型的には１メートル未満の限られた検出範囲を有する。製品判別にハーモニック検出を使用する既存のトランスポンダタグ検出システムは存在しない。更に、トランスポンダタグは、トランスポンダのサイズや（１度使用されて破棄される）タグのコストに起因して、限られた用途しか見出されていない。
【０００４】
物品及び製品を監視する及び追跡することに加えて、目下使用されている判別システムには、セキュリティアプリケーションの用途もある。これは書類セキュリティを含み、この用途では、タグの大きさは、製品及び物品の監視及び追跡用に使用されるタグよりも非常に重要な影響を及ぼす。製品検査及び書類判別を含む製品判別に目下使用されているシステムは、セキュリティ識別シグネチャ又はドキュメント用の「指紋」を与えるものではない。識別シグネチャを利用することは、個々の製品の認識、又は共通の識別シグネチャにより区別されるグループ内の製品の認識を可能にする。
【発明の開示】
【発明が解決しようとする課題】
【０００５】
従って、比較的安価なタグ又は検出素子を利用し、判別に関して製品に負担をかけないサイズを有する製品判別システムが望まれている。更に、判別された製品を複数のクラスに分けるように、判別されるシグネチャを与えるタグを用いる製品判別システムも望まれている。
【課題を解決するための手段】
【０００６】
本発明によれば、１以上の半導体素子を運ぶ物品を確認する安価なシステム及び方法が提供され、その半導体素子はＲＦ周波数に応答して、高調波変調エネルギを輻射する。本発明によるハーモニック物品判別タグは、物品により運ばれ、３次高調波相互変調出力を生成するために少なくとも２つのＲＦ信号に応答する少なくとも１つのＲＦダイオードを有する。
【０００７】
本発明の一態様によれば、ハーモニック相互変調物品判別システムは、物品により運ばれる又は物品に取り付けられる少なくとも１つの半導体素子を有する。少なくとも１つの半導体素子は、高調波相互変調出力を生成するために少なくとも２つのＲＦ周波数に応答する。この高調波相互変調出力は、信号アナライザに接続される出力を有するアンテナにより受信される。その信号アナライザは、前記少なくとも１つの半導体素子を運ぶ前記物品を判別するために、分析信号に応答する。
【０００８】
また、本発明によれば、第１周波数でＲＦ信号を生成するように動作する第１信号生成器と、第２周波数でＲＦ信号を生成するように動作する第２信号生成器とを有するハーモニック物品判別システムが提供される。物品により運ばれる少なくとも１つのＲＦダイオードは、アンテナにより受信された高調波相互変調出力を生成するために、前記第１及び第２周波数に応答し、そのアンテナは信号アナライザへの信号を生成する。アンテナは、信号アナライザに結合され、信号アナライザは、少なくとも１つのＲＦダイオードを運ぶ物品を判別するために、前記分析信号に応答する。
【０００９】
本発明の一態様によるハーモニック物品判別方法は、少なくとも２つのＲＦ信号を別々の周波数で生成するステップを有する。２つの別々の周波数に応答して、高調波相互変調信号が、物品により運ばれ且つ前記少なくとも２つのＲＦ信号に応答する少なくとも１つのＲＦダイオードによって、生成される。分析信号は、高調波相互変調出力を受信するアンテナの出力にて生成され、この分析信号は、物品判別シグネチャを生成するために分析される。
【００１０】
更に、本発明によれば、高調波相互変調出力を生成する少なくとも１つの半導体素子を運ぶ物品に関する判別システムが提供される。判別システムは、コンパレータに適用される物品判別信号を生成する高調波相互変調出力に応答する。また、コンパレータには、少なくとも１つの物品の判別用の判別シグネチャを格納するシグネチャメモリも結合される。コンパレータは、前記アナライザからの物品判別信号に応答し、前記シグネチャメモリに格納された物品判別シグネチャの各々を調べる。コンパレータは、格納済みのシグネチャにより、少なくとも１つの半導体素子を運ぶ物品を判別する信号を生成する。
【発明の効果】
【００１１】
本発明の技術的な利点は、少なくとも１つの半導体素子にタグ付けされた物品を判別する安価なシステム及び方法を含む。本システムは、遠くの（１乃至３メートル）及び近くの（１センチ未満）の環境の双方を識別する。本発明の更なる利点は、安価なＲＦダイオード及び強いＲＦ信号を利用し、近接電磁界アンテナ開口を利用することでは従来不可能であった距離にて高調波を検出し、物品を調査し、確認される識別シグネチャを記録することである。本発明の更なる技術的な利点は、コスト削減、監視領域内の判別機会の拡張性、追跡性及びセキュリティであり、これらは、タグ及び応答システムのサイズ及びコスト的な制約に起因してこれまで得られなかったものである。
【発明を実施するための最良の形態】
【００１２】
本発明は、書類上の署名又はシグネチャの識別を参照しながら説明されるが、それは好適実施例であること、及び本発明には書類署名判別以外の多くの用途における実用性があることが理解されるべきである。例えば、限定ではないが、本発明によるハーモニック相互変調システム及び方法は、具体的に個々の書類を判別せずに、書類の存否を判別することに使用されてもよい。更に、本発明には、署名の判別又は書類以外の物品の存否の用途があり、その物品は、３次高調波相互変調出力を生成する少なくとも１つのＲＦダイオードを備える。従って、本発明は、分類された及び分類されていない書類及び他の物品に関する商業的及び政府的な用途における実用性がある。
【００１３】
図１を参照するに、複数のタグの付された物品のシグネチャ判別用のＲＦタグの付された物品を判別するシステムの概略図が示される。図１のＲＦタグシステム１０は、マイクロ波ホーンアンテナ１６に与える第１周波数信号を生成する第１周波数生成器１２を有する。第２周波数生成器１４は、マイクロ波ホーンアンテナ１８に与える第２周波数を出力する。一般に、ホーンアンテナは、ＲＦダイオード２０に対して、そのダイオードに適切な角度で放射するように設けられる。図１に示される本発明の実施例では、信号生成器１２は、２４．０ＧＨｚ＠＋４．０ｄＢｍにて第１周波数Ｆ１を出力するヒューレットパッカード社の周波数生成器でもよい。また、第２信号生成器１４は、２４．１ＧＨｚ＠＋４．０ｄＢｍにて第２周波数Ｆ２を出力するヒューレットパッカード社の周波数生成器であってもよい。２４．０ＧＨｚの第１周波数及び２４．１ＧＨｚの第２周波数により、ＲＦダイオード２０は２４．０ＧＨｚのビームリードタイプより成る。そのようなダイオードは、商業的に入手可能であり、ダイオードが視覚的に見えないように書類中に埋め込まれることを可能にする形態を有する。
【００１４】
本発明は、２４．０ＧＨｚの第１周波数及び２４．１ＧＨｚの第２周波数を参照しながら説明されるが、これは好適実施例であること及び本発明の実現に際して他のＲＦ周波数が使用されてもよいことが、理解されるべきである。
【００１５】
信号生成器１２からの第１周波数及び信号生成器１４からの第２周波数によりダイオード２０に放射することは、そのダイオードが３次相互変調積を生成する結果を招く。このハーモニック信号又は高調波信号は、ダイポールアンテナ２２により検出され、そのアンテナは分析信号をスペクトラムアナライザ２４に出力する。スペクトラムアナライザ２４は、シグネチャ表示を作成するためにその分析信号に応答し、そのシグネチャ表示はダイオード２０及び相互変調出力の存否を判別する。また、スペクトラムアナライザ２４は、ダイオードアンテナ２２からの分析信号に関する更なる処理のためにシグネチャ信号を出力する。
【００１６】
図１のシステムの動作にあっては、信号生成器１２は２４．０ＧＨｚで周波数を出力し、信号生成器１４は２４．１ＧＨｚの周波数を出力する。これら２つの周波数は、ＲＦダイオード２０に放射するためにホーンアンテナ１６，１８にそれぞれ適用され、それにより、ダイポール受信アンテナ２２により検出される３次相互変調積を生成する。２４．０ＧＨｚ及び２４．１ＧＨｚの特定の周波数に関し、３次相互変調積は２３．９ＧＨｚ及び２４．１ＧＨｚの２つのＲＦ周波数になるであろう。第１周波数Ｆ１が２４．０ＧＨｚであり、第２周波数Ｆ２が２４．１ＧＨｚである場合に、ダイポールアンテナ２２からの分析信号は、２Ｆ１−Ｆ２＝２３．９ＧＨｚに従って又は２Ｆ２−Ｆ１＝２４．２ＧＨｚに従って変化する。近似的に＋４．０ｄＢｍの信号生成器１２，１４による電力変化に関し、スペクトラムアナライザ２４は、−１００ｄＢｍの範疇で３次相互変調積に応答する。
【００１７】
図２を参照するに、書類又は物品タグのような、基板３２内のＲＦダイオードシグネチャの識別に関するＲＦタグ付けシステム３０のブロック図が示されている。１以上のＲＦダイオード３４は、選択された“ｘ−ｙ”座標位置にて基板３２内に組み込まれる又はそこで携帯される。１以上のダイオード３４は、図１の信号生成器１２，１４のような、ＲＦ周波数生成器からの周波数信号の放射を受ける。輻射する１以上のＲＦダイオード３４は、そのダイオードと共に運ばれる書類を一意に識別するシグネチャ相互変調出力を作成する。それに加えて、基板３２上のダイオード３４のｘ−ｙ座標位置は、その基板の更なる認証を与える。即ち、関連するＲＦダイオード３４のシグネチャは、基板、例えば書類又はタグを判別し、そのダイオードのｘ−ｙ座標位置はそのシグネチャを認証する。
【００１８】
高周波ＲＦダイオードの二乗特性に起因して、ダイオード３４が信号生成器１２，１４から放射されたＲＦ場にさらされると、そのダイオードは関連するハーモニックＲＦエネルギの生成及び再放射の双方を行う。再放射されたＲＦハーモニックエネルギは、例えば、３次高調波相互変調積は、調査するダイポールアンテナ３６によって受信される。基板３２が走査するダイポールアンテナ３６付近を通過すると、アンテナはダイオード３４のｘ−ｙ座標位置を判別し、ダイオードの放射によりシグネチャ判別に応答する。このダイオードの位置情報及びダイポールアンテナ３６により受信されたシグネチャ識別性は、スペクトラムアナライザ３８に適用される。スペクトラムアナライザ３８は、適用された位置情報及びシグネチャ識別性に応答し、コンパレータ４０に結合されたスペクトラムアナライザ信号を出力する。また、シグネチャメモリ４２もコンパレータ４０に結合され、そのメモリはシステムにより判別される総ての基板（書類、タグ）についてのシグネチャ識別データを格納する。メモリ４２に格納されるシグネチャ識別内容は、コンパレータ４０に結合されたライン４４上でシグネチャ識別データを適用することで、システムに予めプログラムされる。
【００１９】
コンパレータ４０が位置情報及びシグネチャ識別内容をスペクトラムアナライザから受信すると、シグネチャメモリ内に格納されたデータがスキャンされ、比較の際に、コンパレータ４０は識別信号をディスプレイ４６に出力する。ディスプレイ４６は、基板３２を識別する及び基板を認証（身元確認）する視覚的な表示内容又はハードコピー印刷出力より成る。
【００２０】
図３を参照するに、ＲＦタグの付された物品を判別するプロセスのフローチャートが図示されている。２つのＲＦタグが初期プロセスシーケンス５０にて生成される。これら２つのＲＦ周波数信号は、プロセスシーケンス５２の間にＲＦダイオードに放射されるように、マイクロ波ホーンアンテナ１６，１８に適用される。書類、タグその他の基板と共に搬送され又は組み込まれたＲＦダイオードは、プロセスシーケンス５４にて製品シグネチャを生成するために、ダイポールアンテナによって受信される３次相互変調積を放射する。製品シグネチャは、その製品シグネチャが、以前に受信されていない新たなシグネチャであるか否かを評価するために、問い合わせシーケンス５６に適用される。その問い合わせシーケンス５６に対する肯定的な応答は、格納プロセスシーケンス５８にて、その製品シグネチャをメモリに向ける。
【００２１】
プロセスシーケンス５４からの製品シグネチャが新しくないことを含む、問い合わせ５６に対する否定的な応答は、物品識別に関するプロセスを、スキャニングプロセスシーケンス６０に進める。入来する製品シグネチャ及び１つの格納済みの製品シグネチャ間の好適的な比較結果は、判別プロセスを進行させ、プロセスシーケンス６２にて物品判別内容を生成する。
【００２２】
製品シグネチャによる書類識別に加えて、図３のプロセスは、書類の認証性の判別に関する実用性をも有する。製品シグネチャを定める１以上の組み込みＲＦダイオードを搬送する書類の代わりに、書類は１つのＲＦダイオードのみを運んでもよい。図３のプロセスは、プロセスシーケンス５６，５８，６０を削除し、プロセスシーケンス５４による製品シグネチャが書類中のＲＦダイオードの存否を判別する信号を有するように修整されてもよい。書類中のＲＦダイオードの存否は、プロセスシーケンス６２で生成されるような認証性に関する指標である。
【００２３】
本発明は図示の好適実施例を参照しながら説明されてきたが、添付の特許請求の範囲に規定されるような本発明の精神及び範囲に包含されるような代替例、修整及び均等物は本発明に網羅されることが意図される。
【図面の簡単な説明】
【００２４】
【図１】３次ハーモニック相互変調信号を生成するために半導体素子に放射するマイクロ波ホーンアンテナを用いる識別システムの概略図である。
【図２】基板を識別するために３次ハーモニック相互変調信号に応答する信号分析システムのブロック図である。
【図３】識別用の基板内のＲＦダイオードに放射する２つのＲＦ信号を用いて製品判別を行うプロセスのフローチャートである。
【図１】
2005530369.tif 000003
【図２】
2005530369.tif 000004
【図３】
2005530369.tif 000005
【手続補正書】
【提出日】平成16年1月12日(2004.1.12)
【手続補正１】
【補正対象書類名】特許請求の範囲
【補正対象項目名】全文
【補正方法】変更
【補正の内容】
【特許請求の範囲】
【請求項１】
ダイオードを運ぶ物品を判別するシステムであって：
第１の高周波信号を生成するよう動作する第１信号生成器；
第２の高周波信号を生成するよう動作する第２信号生成器；
前記物品によって運ばれ且つ高周波信号に応答する１以上のダイオードであって、前記１以上のダイオードの各々は、物品により運ばれ、
前記第１及び第２の高周波信号を受信し；及び
前記第１及び第２の高周波信号の受信に応答して、固有の高調波信号を生成する；
ように動作することが可能な１以上のダイオード；並びに
前記ダイオードにより生成される前記高調波信号を受信するよう動作するアンテナであって、前記高調波信号を前記アンテナに結合された信号アナライザに通知するアンテナ；
を備え、前記信号アナライザは、前記物品を判別するために前記高調波信号を物品のタイプと照合するよう動作する
ことを特徴とするシステム。
【請求項２】
前記１以上のダイオードの各々が、前記物品に関して固定された場所にあり、前記１以上の固定された場所は前記を判別する際の更なるパラメータを与える；
前記アンテナが、更に、前記１以上の固定された場所を検出し、及び１以上の検出された固定された場所を前記信号アナライザに通知するように動作し；並びに
前記信号アナライザが、更に、前記物品を判別するように、特定の固定された場所を処理するよう動作する；
ことを特徴とする請求項１記載のシステム。
【請求項３】
１以上の固定された場所の各々が、ｘ座標及びｙ座標のみによって定められる
ことを特徴とする請求項２記載のシステム。
【請求項４】
前記ダイオードの各々が、前記物品の大きさ及び重さに関して少なくとも相対的に無視することの可能な大きさ及び重さを有する
ことを特徴とする請求項１記載のシステム。
【請求項５】
前記物品が書類であり；及び
前記ダイオードの各々が前記書類の用紙に組み込まれる；
ことを特徴とする請求項４記載のシステム。
【請求項６】
前記第１の高周波信号が約２４．０ＧＨｚの第１周波数を有し；
前記第２の高周波信号が約２４．１ＧＨｚの第２周波数を有し；及び
前記ダイオードの各々が、前記第１及び第２の高周波信号に応答する；
ことを特徴とする請求項１記載のシステム。
【請求項７】
前記高調波信号が、前記第１及び第２の高周波信号の３次相互変調積である
ことを特徴とする請求項１記載のシステム。
【請求項８】
前記高調波信号が２Ｆ１−Ｆ２又は２Ｆ２−Ｆ１に関連し、前記第１の高周波信号は近似的にＦ１に等しく、前記第２の高周波信号は近似的にＦ２に等しい
ことを特徴とする請求項７記載のシステム。
【請求項９】
高調波信号の周波数が、前記高周波信号を物品のタイプと照合するために使用される
ことを特徴とする請求項１記載のシステム。
【請求項１０】
ダイオードを運ぶ物品を判別する方法であって：
第１の高周波信号を生成するステップ；
第２の高周波信号を生成するステップ；
前記第１及び第２の高周波信号を受信する１以上のダイオードに応答して、前記物品により運ばれる１以上のダイオードにより生成される１以上の高周波信号を受信するステップであって、前記１以上のダイオードの各々は、高周波信号に応答し、物品によって運ばれるところのステップ；
物品のタイプと照合するための１以上の受信した高調波信号を通信するステップ；及び
前記物品を判別するために、前記高調波信号を物品のタイプと照合するステップ；
を有することを特徴とする方法。
【請求項１１】
前記１以上のダイオードの各々が、前記物品に関して固定された場所にあり、１以上の固定された場所は、前記物品を判別する際の更なるパラメータを与え；
当該方法は：
前記１以上の固定された場所を検出するステップ；
１以上の検出された固定された場所を通信するステップ；及び
前記物品を判別するように、１以上の検出された固定された場所を処理するステップ；
を有することを特徴とする請求項１０記載の方法。
【請求項１２】
１以上の固定された場所の各々が、ｘ座標及びｙ座標のみによって定められる
ことを特徴とする請求項１１記載の方法。
【請求項１３】
前記ダイオードの各々が、前記物品の大きさ及び重さに関して少なくとも相対的に無視することの可能な大きさ及び重さを有する
ことを特徴とする請求項１１記載の方法。
【請求項１４】
前記物品が書類であり；及び
前記ダイオードの各々が前記書類の用紙に組み込まれる；
ことを特徴とする請求項１３記載の方法。
【請求項１５】
前記第１の高周波信号が約２４．０ＧＨｚの第１周波数を有し；
前記第２の高周波信号が約２４．１ＧＨｚの第２周波数を有し；及び
前記ダイオードの各々が、前記第１及び第２の高周波信号に応答する；
ことを特徴とする請求項１０記載の方法。
【請求項１６】
前記高調波信号が、前記第１及び第２の高周波信号の３次相互変調積である
ことを特徴とする請求項１０記載の方法。
【請求項１７】
前記高調波信号が２Ｆ１−Ｆ２又は２Ｆ２−Ｆ１に関連し、前記第１の高周波信号は近似的にＦ１に等しく、前記第２の高周波信号は近似的にＦ２に等しい
ことを特徴とする請求項１６記載の方法。
【請求項１８】
高調波信号の周波数が、前記高周波信号を物品のタイプと照合するために使用される
ことを特徴とする請求項１０記載の方法。
【請求項１９】
ダイオードを運ぶ物品を判別するシステムであって：
第１の高周波信号を生成する手段；
第２の高周波信号を生成する手段；
前記第１及び第２の高周波信号を受信する１以上のダイオードに応答して、前記物品により運ばれる１以上のダイオードにより生成される１以上の高調波信号を受信する手段であって、前記１以上のダイオードの各々は高周波信号に応答し、物品により運ばれるところの手段；
物品のタイプと照合するために、１以上の受信した高調波信号を通信する手段；及び
前記物品を判別するために前記高調波相互変調信号を物品のタイプと照合する手段；
を備えることを特徴とするシステム。
【国際調査報告】
2005530369.tif 000006
2005530369.tif 000007
2005530369.tif 000008
2005530369.tif 000009